(57)【要約】【課題】最もシンプルな構成部材設計を以ってスピーディーな着脱を達成させると共に、体積縮小化と製造コスト削減を図り、かつ接触端子とシステムの相手側端子との間の接触性を大いに向上し、許容製造公差を大きくすることのできるホットスワップファンを提供する。【解決手段】ホットスワップファンモジュール１０は、ファン１２と挿抜部材１４を含んでなる。挿抜部材１４は、ベース部１８、摘持構造２２および少なくとも１つの係合構造２４を含み、ベース部１８の第１の端がファンに枢結すると共に、摘持構造２２と係合構造２４とがベース部１８の第２の端に配置されてなり、ファン１２の側面に覆設される。【選択図】図１
2006138320.tif 000002
【特許請求の範囲】
【請求項１】
ファン、ならびに
ベース部、摘持構造および少なくとも１つの係合構造を備え、前記ベース部の第１の端が前記ファンに枢結すると共に、前記摘持構造と前記係合構造とが前記ベース部の第２の端に配置されてなり、前記ファンの側面に覆設される挿抜部材、
を含むホットスワップファンモジュール。
【請求項２】
前記挿抜部材が前記ベース部の前記第２の端に配置される曲折部をさらに備え、該曲折部は、
前記曲折部における前記ベース部の前記第１の端の方を向く表面に前記摘持構造が形成されると共に、その裏側表面に前記係合構造が形成されており、
曲げ角を間に挟んで形成する、前記ベース部に連接する第１の半部と前記摘持構造と前記係合構造が形成される第２の半部とを含んでなる、または、
前記曲折部の前記ベース部の一端よりに前記摘持構造が形成され、前記曲折部のもう一端に係合構造が形成されてなるものである請求項１記載のホットスワップファンモジュール。
【請求項３】
前記ベース部と前記曲折部とが一体成形されてなる請求項２記載のホットスワップファンモジュール。
【請求項４】
前記曲折部が、Ｖ字形横断面を有する構造からなる請求項２記載のホットスワップファンモジュール。
【請求項５】
前記曲折部の裏側表面における前記係合構造と同じ水平高さの位置に、少なくとも１つの突起または凹陥構造が形成される請求項２記載のホットスワップファンモジュール。
【請求項６】
前記第１の半部が、所定の角度を形成するように前記ベース部と連接している請求項２記載のホットスワップファンモジュール。
【請求項７】
前記係合構造が、前記ファンの方を向いて、または前記ファンと反対の方を向いて形成される請求項１記載のホットスワップファンモジュール。
【請求項８】
前記挿抜部材の前記第１の端に配置された第１の連結構造と、および
前記ファンに配置された第２の連結構造をさらに含み、
前記第１の連結構造と前記第２の連結構造とは互いに対応して結合するものである請求項１記載のホットスワップファンモジュール。
【請求項９】
前記ファンの他の側面に固定される端子台をさらに含む請求項１記載のホットスワップファンモジュール。
【請求項１０】
前記ファンを覆うファンガードをさらに含み、該ファンガードの表面には、フールプルーフ用の突起、連結孔および通気孔からなる群より選ばれた１種がさらに形成される請求項１記載のホットスワップファンモジュール。
【請求項１１】
前記摘持構造の水平高さが、前記ベース部に実質的に揃っている、または前記ベース部と所定の水平高さの差を有している請求項１記載のホットスワップファンモジュール。
【請求項１２】
前記摘持構造が、前記ベース部の前記第２の端と枢結すると共に前記ベース部上を移動自在となっており、前記摘持構造が移動すると、前記係合構造がこれに連動されて移動する請求項１記載のホットスワップファンモジュール。
【請求項１３】
前記係合構造が前記摘持構造の一端に配置され、前記摘持構造のもう一端が第１の固定構造を備え、前記ベース部が第２の固定構造を備え、これら第１の固定構造と第２の固定構造とは互いに対応しており、
前記摘持構造が第１の位置にあるときに、前記第１の固定構造と前記２の固定構造とが互いに連結固定され、
前記摘持構造が第２の位置にあるときには、前記第１の固定構造と前記第２の固定構造とが互いに離脱する請求項１２記載のホットスワップファンモジュール。
【請求項１４】
前記摘持構造の移動方式が、回動、上下移動、左右移動および前後移動からなる群より選ばれた１種の移動方式である請求項１２記載のホットスワップファンモジュール。
【請求項１５】
前記ベース部が、板状構造体または少なくとも一端部が曲折した板状構造体である請求項１記載のホットスワップファンモジュール。
【請求項１６】
ファンケージ、
前記ファンケージに収容されるファン、ならびに
ベース部、摘持構造、および前記ファンケージの内部または外部から前記ファンと前記ファンケージとを互いに係合または離脱させる少なくとも１つの係合構造を備え、前記ベース部の第１の端が前記ファンに枢結すると共に、前記摘持構造と前記係合構造とが前記ベース部の第２の端に配置されてなり、前記ファンの側面に覆設される挿抜部材、
を含むホットスワップファンモジュール。
【請求項１７】
前記ファンケージが、組立または一体成形により所定のシステム上に形成される請求項１６記載のホットスワップファンモジュール。
【発明の詳細な説明】
【技術分野】
【０００１】
本発明は、スピーディーにホットスワップが行えるホットスワップファンおよびその挿抜部材、ならびに該ホットスワップファンを含むファンモジュールに関する。
【背景技術】
【０００２】
電子製品の動作時の発熱はシステム全体の周囲温度を上昇させ、システムの安定性低下ひいては故障を引き起こしてしまうため、例えば放熱ファンなどの放熱装置を利用して、安定した周囲温度を維持しながらシステムを稼動させる必要がある。そして、放熱ファンが故障したらその交換のためにシステム全体の稼動を停止させなくてもすむように、ホットスワップ可能な放熱ファンが開発されるに至っており、２４時間システム稼動の要求がこれによって満たされている。
【０００３】
しかし、システム内において放熱装置に与えられる配置スペースには限りがあるため、如何にして、構成部材を最もシンプルな設計とし、スピーディーに着脱可能なホットスワップ機能をファンに備えさせるか、が重要な課題となっている。
【発明の開示】
【発明が解決しようとする課題】
【０００４】
そこで、本発明の目的は、最もシンプルな構成部材の設計を以ってスピーディーな着脱を可能とすると共に、体積縮小と製造コスト削減が図られ、かつ接触端子とシステムの相手方端との間の接触性を大いに向上し、許容製造公差を大きくすることのできるホットスワップファンを提供することにある。
【０００５】
また、本発明のもう１つの目的は、使用の便利性および安全性が高まるホットスワップファンを提供することにある。
【課題を解決するための手段】
【０００６】
すなわち、本発明は、ファン、ならびにベース部、摘持構造および少なくとも１つの係合構造を備え、前記ベース部の第１の端が前記ファンに枢結すると共に、前記摘持構造と前記係合構造が前記ベース部の第２の端に配置されてなり、前記ファンの側面に覆設される挿抜部材、を含むホットスワップファンモジュールに関する。
【０００７】
前記挿抜部材が前記ベース部の前記第２の端に配置される曲折部をさらに備え、該曲折部は、前記曲折部における前記ベース部の前記第１の端の方を向く表面に前記摘持構造が形成されると共に、その裏側表面に前記係合構造が形成されており、曲げ角を間に挟んで形成する、前記ベース部に連接する第１の半部と前記摘持構造と前記係合構造が形成される第２の半部とを含んでなる、または、前記曲折部の前記ベース部の一端よりに前記摘持構造が形成され、前記曲折部のもう一端に係合構造が形成されてなっているものであることが好ましい。
【０００８】
前記ベース部と前記曲折部とが一体成形されてなることが好ましい。
【０００９】
前記曲折部が、Ｖ字形横断面を有する構造からなることが好ましい。
【００１０】
前記曲折部の裏側表面における前記係合構造と同じ水平高さの位置に、少なくとも１つの突起または凹陥構造が形成されることが好ましい。
【００１１】
前記第１の半部が、所定の角度を形成するように前記ベース部と連接していることが好ましい。
【００１２】
前記係合構造が、前記ファンの方を向いて、または前記ファンと反対の方を向いて形成されることが好ましい。
【００１３】
前記挿抜部材の前記第１の端に配置された第１の連結構造、および前記ファンに配置された第２の連結構造をさらに含み、前記第１の連結構造と前記第２の連結構造とは互いに対応して結合するものであることが好ましい。
【００１４】
前記ファンの他の側面に固定される端子台をさらに含むことが好ましい。
【００１５】
前記ファンを覆うファンガードをさらに含み、該ファンガードの表面には、フールプルーフ用の突起、連結孔および通気孔からなる群より選ばれた１種がさらに形成されることが好ましい。
【００１６】
前記摘持構造の水平高さが、前記ベース部に実質的に揃っている、または前記ベース部と所定の水平高さの差を有していることが好ましい。
【００１７】
前記摘持構造が、前記ベース部の前記第２の端と枢結すると共に前記ベース部上を移動自在となっており、前記摘持構造が移動すると、前記係合構造がこれに連動されて移動することが好ましい。
【００１８】
前記係合構造が前記摘持構造の一端に配置され、前記摘持構造のもう一端が第１の固定構造を備え、前記ベース部が第２の固定構造を備え、これら第１の固定構造と第２の固定構造とは互いに対応しており、前記摘持構造が第１の位置にあるときに、前記第１の固定構造と前記２の固定構造とは互いに連結固定され、前記摘持構造が第２の位置にあるときには、前記第１の固定構造と前記第２の固定構造とは互いに離脱することが好ましい。
【００１９】
前記摘持構造の移動方式が、回動、上下移動、左右移動および前後移動からなる群より選ばれた１種の移動方式であることが好ましい。
【００２０】
前記ベース部が、板状構造体または少なくとも一端部が曲折した板状構造体であることが好ましい。
【００２１】
また、本発明は、ファンケージ、前記ファンケージに収容されるファン、ならびに
ベース部、摘持構造、および前記ファンケージの内部または外部から前記ファンと前記ファンケージとを互いに係合または離脱させる少なくとも１つの係合構造を備え、前記ベース部の第１の端が前記ファンに枢結すると共に、前記摘持構造と前記係合構造とが前記ベース部の第２の端に配置されてなり、前記ファンの側面に覆設される挿抜部材、を含むホットスワップファンモジュールに関する。
【００２２】
前記ファンケージが、組立または一体成形により所定のシステム上に形成されることが好ましい。
【発明の効果】
【００２３】
挿抜部材の一端をファンに枢結し、もう一端を曲折部としそこに摘持リングを形成した本発明の設計によれば、単一の挿抜部材と１本の指の動作だけでホットスワップファンの着脱をスピーディーに行うことが可能となる。よって、ホットスワップファンの設計が大幅に単純化され、これに伴う体積の縮小と製造コストダウンも図られる。さらに、本発明によれば、摘持リングを曲折部に形成したため、挿抜部材自身の弾性伸縮によって接触端子（ほぞ）とシステムの相手方端（ファンケージのほぞ溝）との間の密接な接触が得られ、ほぞとほぞ溝間の接触性が大いに向上すると同時に、両者を組み合わせるにあたっての製造公差がより大きくなる。
また、本発明は、ファンガードを挿抜部材に対応させて設計した上で、当該設計をホットスワップファン中に統合したため、体積がわずかに増加するだけで密接なカバー効果を達成でき、ホットスワップファンの使用上の便利性と安全性が一層高まる。
【発明を実施するための最良の形態】
【００２４】
本発明の設計によるホットスワップファンモジュールは、ファンおよび挿抜部材を含んでなる。挿抜部材は、ベース部、摘持構造および少なくとも１つの係合構造を備え、ベース部の第１の端がファンに枢結し、ベース部の第２の端に摘持構造および係合構造が配置されてなり、ファンの側面に覆設される。
【００２５】
また、本発明は、ホットスワップファンに用いられる挿抜部材を提供する。この挿抜部材は、ベース部、摘持構造および少なくとも１つの係合構造から構成されるものであり、摘持構造および係合構造はベース部の第１の端に配置される。
【００２６】
また、本発明は、ファンケージ、ファンおよび挿抜部材から構成され、ファンがファンケージに収容され、挿抜部材がファン側面に覆設されるホットスワップファンモジュールを提供する。挿抜部材は、ベース部、摘持構造および少なくとも１つの係合構造を含み、ベース部の第１の端はファンに枢結し、ベース部の第２の端に摘持構造と係合構造が配置されてなる。該係合構造は、ファンとファンケージとを互いに係合または離脱させることができる。
【００２７】
上述のホットスワップファンモジュールの係合構造は、ほぞまたは凹陥構造であり、摘持部構造は摘持リングである。挿抜部材はプラスチックまたは金属材料からなる。上述のホットスワップファンモジュールはさらに、挿抜部材の第１の端に配置された第１の連結構造と、ファンに配置された第２の連結構造とをさらに含み、これら第１の連結構造と第２の連結構造とは互いに対応して結合する。第１の連結構造および／または第２の連結構造は、連結孔、ラッチ構造、係合構造、ロック構造および凸部からなる群より選ばれた１種である。上述のホットスワップファンモジュールにおいて、摘持構造の水平高さは、ベース部に実質的に揃っている。
【００２８】
上述のホットスワップファンモジュールは、ファンの他の側面に固定される端子台をさらに含む。この端子台に、ファンとの係合に用いる凸部が設けられていてもよい。また、上述のホットスワップファンモジュールは、ファンを覆うファンガードをさらに含む。このファンガードは、コ字形横断面を有する構造となっている。ファンガードの表面には、連結孔および通気孔が形成されており、このうちの通気孔の外形は、多角形、円形、楕円形、規則的なパターンおよび不規則なパターンからなる群より選ばれた１種の形状である。ファンガードの表面にはさらに突起が設けられる。ファンガードは、リベット接合またはねじ止めの方式によってファンに固定される。
【００２９】
上述のホットスワップファンモジュールの挿抜部材は、前記ベース部の第２の端に配置される曲折部をさらに有しており、この曲折部は、前記第１の端の方を向く表面に摘持構造が形成され、その裏側表面には係合構造が形成されてなる。ベース部と曲折部とは一体成形される。曲折部はＶ字形横断面を有する構造となっている。曲折部の裏側表面における係合構造と同じ水平高さの位置には、少なくとも１つの突起または凹陥構造が形成される。
【００３０】
前記曲折部は、曲げ角を間に挟んで形成する第１の半部と第２の半部からなるものに変更してもよい。この場合、第１の半部はベース部に連接し、かつ、摘持構造および係合構造は第２の半部に形成される。第１の半部は、所定の角度を形成するようにベース部と連接する。また、第１の半部は、リブ構造から構成されるものとすることができる。摘持構造とベース部には所定の水平高さの差があり、この水平高さの差は第２の半部の高さである。
【００３１】
前記曲折部は、曲折部のベース部の一端よりに摘持構造が形成され、曲折部のもう一端に係合構造が形成されてなるものに変更してもよい。この場合、係合構造は、ファンの方を向いて、またはファンの反対側を向いて形成される。摘持構造はベース部の第２の端と枢結すると共に、ベース部上を移動自在となっており、摘持構造が移動すると、係合構造がこれに連動されて移動する。また、係合構造が摘持構造の一端に配置され、摘持構造のもう一端に第１の固定構造が、ベース部に第２の固定構造が備わるようにしてもよい。第１の固定構造と第２の固定構造は互いに対応するものである。そして、摘持構造を第１の位置にすると、第１の固定構造と第２の固定構造は互いに連結固定され、摘持構造が第２の位置にあるときには、第１の固定構造と第２の固定構造は互いに離脱する。摘持構造の移動方式は、回動、上下移動、左右移動および前後移動からなる群より選ばれた１つの移動方式である。
【００３２】
上述のホットスワップファンモジュールのファンは、出／入力電源端子、信号端子または警告ランプを有していてもよい。ベース部は板状構造体または少なくとも一端部が曲折した板状構造体からなる。
【００３３】
上述のホットスワップファンモジュールにおいて、ファンケージの係合構造と対応する位置には、該係合構造に対応する対応係合構造が形成される。また、ファンケージが、出／入力電源端子、信号端子または警告ランプを有していてもよい。ファンケージは、組立または一体形成の方式で所定のシステム上に形成される。摘持構造を第１の位置にすると、第１の固定構造と第２の固定構造とが互いに連結固定して、ファンとファンケージは連結固定し、摘持構造を第２の位置にしたときには、第１の固定構造と第２の固定構造とが互いに離脱して、ファンとファンケージは離脱する。ファンをファンケージにセットすると、係合構造は、ファンケージの内部または外部から、ファンをファンケージに固定する。ファンケージは、ファンを収容する少なくとも１つの固定台をさらに備えており、固定台が複数ある場合にはアレイ状または線状に配列させる。
【００３４】
本発明の上述およびその他の目的、特徴ならびに長所を一層明らかとするため、以下に、図面と対応させながら好ましい実施形態を挙げて本発明をより詳細に説明する。
【００３５】
図１は、本発明に係るホットスワップファンモジュール１０の１実施形態を説明する構成部材分解図である。図１に示すように、ホットスワップファンモジュール１０は、ファン１２と挿抜部材１４とを組み合わせてなるものである。ファン１２本体は吸気面、排気面および吸気面と排気面とをつなぐ側面を有しており、そのフレーム１６には複数個の連結孔１６ａが形成されている。
【００３６】
挿抜部材１４は、例えば弾性撓曲する弾性材から作製されたものであって、例として、金属またはプラスチック材料などからなるものであり得る。その設計は、ファンフレーム１６の外形に対応して、ベース部１８と、ベース部１８の一端に配置された曲折部２０とを備えて、ファン１２の側面を被覆する。
【００３７】
ベース部１８のもう一端の連結孔１６ａと対応する位置には、枢結孔１８ａが形成されており、これによって挿抜部材１４はその一端がファンフレーム１６と枢結するかたちでファン１２に連結されることとなる。ベース部１８は、例えば板状構造体、または少なくとも一端部が曲折した板状構造体であり得る。
【００３８】
曲折部２０は、所定の曲げ角を有して、横断面がほぼ「Ｖ」字形または「Ｕ」字形を成す外形を備えており、該曲げ角をその間に挟んで形成する第１の半部２０ａと第２の半部２０ｂとからなる。第１の半部２０ａが所定の角度を持つようにベース部１８に連接するため、挿抜部材１４はファンフレーム１６の外形にフィットした構造となる。本実施形態では、第１の半部２０ａは、ベース部１８に連接する２本の平行なリブから構成される。また、第２の半部２０ｂにおけるベース部１８の枢結端側を向く表面には摘持リング２２が形成されており、その裏側表面にはほぞ２４（または凹陥構造）と、ほぞ２４と同じ水平高さの位置に設けられた突起２６（または凹陥構造）とが形成されている。本実施形態によれば、摘持リング２２は、水平方向にベース部１８の方へ向かって延設されており、かつその水平高さはベース部１８に実質的に揃えられている。
【００３９】
このような設計により、摘持リング２２に指を入れて挿抜部材１４のベース部１８方向へ力をかけると、挿抜部材１４は弾性材からなっているため、摘持リング２２がベース部１８の方向へ移動することにより第２の半部２０ｂが第１の半部２０ａ側へと引き寄せられ、ほぞ２４が図示しないファンケージのほぞ溝から離脱する方向へ変位し、これと同時に、挿抜部材１４における対曲折部２０側の一端がファン１２に枢結されていることより、既にほぞ２４がファンケージのほぞ溝から離脱した状態の挿抜部材１４はその枢結端を軸として上方へ回動可能となるので、そこでファン１２を上へ引き上げれば、抜脱動作が速やかに完了することとなる。一方、ホットスワップファンモジュール１０をファンケージ内にセットするときは、第１の半部２０ａおよび第２の半部２０ｂ相互の相対的な接近または拡開方向への弾性力により、ほぞ２４をファンケージのほぞ溝に精度良く嵌入させるための下方圧力が提供される。
【００４０】
上述したように、挿抜部材１４の一端をファン１２に枢結すると共に、もう一端を曲折部２０としそこに摘持リング２２を形成した設計の本発明によれば、単一の挿抜部材と１本の指の動作だけでホットスワップファンモジュール１０の着脱がスピーディーに行えることとなるため、ホットスワップファンモジュール１０の設計が大幅に単純化され、体積の縮小と製造コストダウンが図られる。さらに、本発明では、摘持リング２２を曲折部２０に形成しているため、曲折部２０自身の弾性伸縮（つまり、第１の半部２０ａおよび第２の半部２０ｂ相互の相対的な接近または拡開方向への弾性力）によって、接触端子（ほぞ２４または凹陥構造）とシステムの相手方端子（ファンケージのほぞ溝と対応するほぞ２４または凹陥構造に対応する係合構造）とを密接に接触させる作用が生じ、より良好なほぞ２４とほぞ溝間の接触性が得られると同時に、両者を組み合わせるにあたっての許容製造公差を大きくすることができる。
【００４１】
上述した曲折部２０は、よりプルタブに近い形式とすることもでき、この場合は、曲折部のベース部１８の一端よりに摘持構造を形成し、曲折部のもう一端に係合構造を形成する。摘持構造は、ベース部１８の一端（ファン１２に枢結しない方の一端）に枢結させてもよく、係合構造は、摘持構造の一端に直接設置してもよい。係合構造は、ファンフレーム１６側に向くよう、またはその反対側を向くように設けることができる。この構成において摘持構造はベース部１８上を移動自在であり、その移動の方式としては、例えば回動、上下移動、左右移動、前後移動などが挙げられる。摘持構造が移動すると、これに直接または間接的に連動されて係合構造が移動する。そして、摘持構造のもう一端に第１の固定構造が備えられ、ベース部には第２の固定構造が備えられる。これら第１の固定構造と第２の固定構造とは互いに対応している。このような構成により、摘持構造を第１の位置にしたときに、第１の固定構造と第２の固定構造とは互いに連結固定され、摘持構造が第２の位置あるときには、第１の固定構造と第２の固定構造とは互いに離脱する。
【００４２】
さらに、ホットスワップファンモジュール１０の対挿抜部材１４側の側面に、端子台３０を設けることもできる。端子台３０上には、複数個の電気的接続端子３４が形成されて、放熱されるべきシステムと電気的接続できるようになっている。端子台３０には凸部３２も形成されており、かかる凸部３２がファンフレーム１６の連結孔１６ａと嵌合することによって、端子台３０が固定されることとなる。
【００４３】
また、ほぞ２４とファンケージのほぞ溝とを密接に接触させてから、ファン１２を動作させると、ほぞ２４と同じ水平高さの位置に形成された突起２６が、付加的な防振効果とフールプルーフ効果を発揮するようになっている。なお、ホットスワップファンモジュール１０に付加的な防振効果とフールプルーフ効果が必要ない場合には、突起２６は形成しなくてもよい。
【００４４】
本実施形態では、組立後のホットスワップファンモジュール１０の占有スペースが小さくなるように、摘持リング２２の水平高さが挿抜部材のベース部１８に実質的に揃えられているが、本発明の挿抜部材１４は、上に例示した設計に限定されることはなく、実際の使用における必要に応じて変化させることができる。例えば、図２に示すように、挿抜部材４４に形成された摘持リング４２の水平高さを挿抜部材のベース部４８に揃えずに、二者間に所定の水平高さの差を持たせて、より安定に指を掛け摘めるような構成としてもよい。さらには、当該水平高さの差を、曲折部４０の第２の半部４０ｂの高さにすることもできる。
【００４５】
また、挿抜部材１４の一端とファンフレーム１６とを枢結させる方式にも全く制約はなく、例えば、図１に示すように、挿抜部材１４の一端とファンフレーム１６とにそれぞれ枢結孔１８ａと連結孔１６ａを設置した上で、リベット２８で留めることにより枢結を得ることができる。さらに、リベット２８を、ねじ山を有した構造体や、フックを有した構造体に置換することも可能である。あるいは、図２のごとくに、挿抜部材４４に、わずかにクリアランスができるようにファンフレーム１６の連結孔１６ａに対応させて形成された係合構造である凸部４６を設けて、かかる凸部４６に連結孔１６ａを嵌合させても、同様に良好な枢結が得られる。あるいは、凸部を、わずかにクリアランスができるように挿抜部材４４の枢結孔１８ａに対応させた係合構造として、ファンフレーム１６上に設けてもよく、このようであっても同様に良好な枢結が得られる。あるいは、一般的なラッチ構造またはロック構造を利用してそれを枢結孔１８ａおよび連結孔１６ａに嵌入させることによっても同じく、良好な枢結が得られる。
【００４６】
なお、上述では、挿抜部材１４のベース部１８と曲折部２０とを一体成形させた構成を例示したが、これらの形成方式にも制約はなく、個別に成形を行ってから結合させてもよい。
【００４７】
図３は、本発明の別な１実施形態を説明する構成部材分解図である。本発明に係るホットスワップファンモジュールは、回転する羽根中に不注意で指を入れ怪我などしないように、ファンの吸／排気側にファンガードをさらに備えて安全性をより向上させたものとしてもよい。よって、この実施形態は、強固に連結されるファンガード５２を構成部材として含むホットスワップファンモジュール５０の設計に係るものである。図３に示すように、ファンガード５２は、相対的に面積の大きい表面５４、５６および表面５４、５６をつなぐ連結面５８からなり、全体がほぼ“コ”字形断面構造を持つ構成となっている。表面５４、５６は、ファン１２の吸気面および排気面を覆って保護する作用を備える。ファンガード５２の表面５４、５６には、リベット接合、係合、枢結またはねじ止めなどの方式によりファンガード５２をファンフレームに強固に固定して安全性の高いホットスワップファンモジュール５０を形成できるように、複数個の連結孔５２ａが設けられている。さらに、連結面５８に、また別な突起６０を設けて、これを、ホットスワップファンモジュール５０実装時におけるフールプルーフの識別の用に供するようにしてもよい。連結面５８は、表面５４および５６の安定な連結を達成させるようになっていればよいので、その高さに制限はなく、表面５４、５６よりも高い、低いまたはこれらと同じ高さであっても構わない。また、ファンガード５２の表面５４、５６に、複数個の通気孔６２を設置することもでき、この通気孔６２の形式は、例えば、多角形、円形、楕円形、規則的なパターンまたは不規則なパターンなどとすることができる。
【００４８】
図４は、本発明に係るファンガード５２を備えたホットスワップファンモジュール５０の立体図である。図示するように、本発明によるファンガード５２は挿抜部材１４に対応した設計となっているため、その覆設面分だけ体積が増えるのみで、モジュール全体はしっかりとコンパクトにカバーされ得ることとなる。また、本発明のファンガード５２は、保護機能を達成できさえすればよいため、その材質に制限はなく、例えば、金属またはプラスチック材料などとすることができる。
【００４９】
図５に示すように、本発明に係るホットスワップファンモジュールを、ファンケージ７２（またはファンケージ７２を有する外部システム８２）の固定台８４にセットしてもよく、図にはそのような構成のまた別なファンモジュール７０が示されている。図５のごとくに、ファンケージ７２には、ホットスワップファンのほぞ２４を精度良く嵌入させるファンケージほぞ溝７４が形成されている。ファンケージ７２は、一度に複数個のホットスワップファンを実装させることができ、かつ、出／入力電源端子７６、信号端子７８などが設けられて、端子台３０の電気的接続端子３４と電気的接続がとれるようになっている。さらに、ホットスワップファンの作動状況を知らせる警告ランプ８０をファンケージ７２に設けてもよい。図５では、ほぞ２４をファンケージほぞ溝７４に嵌入することによりホットスワップファンモジュール５０を固定する例が示されているが、ホットスワップファンモジュール５０をファンケージ７２に固定する方式に制約はなく、例えば、ファンケージ７２に、ほぞ溝に替えてほぞを形成し、ホットスワップファンの対応位置に該ほぞと嵌合する開口を形成することによっても、同様にしてホットスワップファンモジュール５０のファンケージ７２への固定を達成することができる。また、ファンケージ７２と外部システム８２とは、夫々が結合してなる、または一体成形された構成とすることができる。固定台が複数ある場合は、固定台の配列形式は、例えば、アレイ配列、線状配列または任意の形状の配列とすることができる。
【００５０】
さらに、上述の出／入力電源端子７６、信号端子７８、警告ランプ８０などは、ファン１２上に直接設置してもよく、ひいては挿抜部材１４上に直接設置することもできる。
【００５１】
以上、好適な実施形態を用いて本発明を説明したが、本発明はこれら実施形態に限定されることはなく、本発明の精神と範囲を脱しない限りにおいて、当業者は各種変更お修飾を加えることができる。すなわち、本発明の保護範囲は、添付の特許請求の範囲で定義された範囲が基準となる。
【図面の簡単な説明】
【００５２】
【図１】本発明に係るホットスワップファンの１実施形態を説明する構成部材分解図である。
【図２】本発明に係るホットスワップファンの挿抜部材の変形例を説明する立体図である。
【図３】本発明に係るホットスワップファンの別な実施形態を説明する構成部材分解図である。
【図４】本発明に係るファンガードを備えたホットスワップファンの組立後の立体図である。
【図５】本発明に係るファンモジュールおよびファンケージの説明図である。
【符号の説明】
【００５３】
１０                  ホットスワップファンモジュール
１２                  ファン
１４                  挿抜部材
１６                  ファンフレーム
１６ａ                連結孔
１８                  ベース部
１８ａ                枢結孔
２０                  曲折部  
２０ａ                第１の半部
２０ｂ                第２の半部
２２                  摘持リング
２４                  ほぞ
２６                  突起
２８                  リベット
３０                  端子台
３２                  凸部
３４                  端子
４０                  曲折部
４０ａ                第１の半部
４０ｂ                第２の半部
４２                  摘持リング
４４                  挿抜部材
４６                  凸部
４８                  ベース部
５０                  ホットスワップファンモジュール
５２                  ファンガード
５２ａ                連結孔
５４、５６、５８      ファンガード表面
６０                  突起
６２                  通気孔
７０                  ファンモジュール
７２                  ファンケージ
７４                  ファンケージほぞ溝
７６                  出／入力電源端子
７８                  信号端子
８０                  警告ランプ
８２                  システム
８４                  固定台
【図１】
2006138320.tif 000003
【図２】
2006138320.tif 000004
【図３】
2006138320.tif 000005
【図４】
2006138320.tif 000006
【図５】
2006138320.tif 000007